(57)【特許請求の範囲】
【請求項１】
無線通信を利用して洗濯機と通信する第１通信部によって、洗濯機を特定するための洗濯機特定情報を前記洗濯機へ要求する第１の送信ステップと、
前記洗濯機特定情報を前記第１通信部によって前記洗濯機から受信する第１の受信ステップと、
ネットワークを利用してサーバと通信する第２通信部によって、前記受信された洗濯機特定情報を前記サーバへ送信する第２の送信ステップと、
前記洗濯機で使用される少なくとも１つの洗剤に対応する洗剤名を表示する洗剤名一覧を表示させるための洗剤名一覧情報を前記第２通信部によって前記サーバから受信する第２の受信ステップと、
前記受信された洗剤名一覧情報に基づいて前記洗剤名一覧を表示する第１の表示ステップと、
前記洗剤名一覧に表示される少なくとも１つの洗剤名の中からユーザにより選択される洗剤名を受け付ける第１の受付ステップと、
前記選択された洗剤名を特定する洗剤名特定情報を前記第２通信部によって前記サーバへ送信する第３の送信ステップと、
前記洗剤名特定情報及び前記洗濯機特定情報に基づいて特定される洗剤に関する洗剤情報を前記第２通信部によって前記サーバから受信する第３の受信ステップと、
前記受信された洗剤情報を、前記第１通信部によって前記洗濯機へ送信する第４の送信ステップとを含む通信方法。
【請求項２】
前記第１の送信ステップの前に、前記第１通信部と前記洗濯機とを通信させることをユーザに指示する通信指示画面をさらに表示する第２の表示ステップと、
前記第４の送信ステップの前に、前記通信指示画面を表示する第３の表示ステップとをさらに含む請求項１記載の通信方法。
【請求項３】
前記無線通信は、近距離無線通信であり、
前記通信指示画面は、前記第１通信部と前記洗濯機とが通信するために前記第１通信部と前記洗濯機とを近接させることをユーザに指示するための画面である請求項２記載の通信方法。
【請求項４】
前記洗濯機に前記洗剤情報が記憶されたことを通知する記憶完了通知を前記洗濯機から受信する第４の受信ステップと、
前記記憶完了通知が受信された場合に、前記洗濯機に前記洗剤情報が記憶されたことをユーザに通知する記憶完了通知画面をさらに表示する第４の表示ステップとをさらに含む請求項１〜３のいずれかに１つに記載の通信方法。
【請求項５】
前記洗剤情報は、水位と洗剤の杯数との関係を示すテーブルを含む請求項１〜４のいずれか１つに記載の通信方法。
【請求項６】
前記テーブルは、水位と洗剤の杯数とすすぎ回数との関係を示す請求項５記載の通信方法。
【請求項７】
前記洗濯機で使用される少なくとも１つの柔軟剤に対応する柔軟剤名を表示する柔軟剤名一覧を表示させるための柔軟剤名一覧情報を前記第２通信部によって前記サーバから受信する第５の受信ステップと、
前記受信された柔軟剤名一覧情報に基づいて前記柔軟剤名一覧を表示する第５の表示ステップと、
前記柔軟剤名一覧に表示される少なくとも１つの柔軟剤名の中からユーザにより選択される柔軟剤名を受け付ける第２の受付ステップと、
前記選択された柔軟剤名を特定する柔軟剤名特定情報を前記第２通信部によって前記サーバへ送信する第５の送信ステップと、
前記柔軟剤名特定情報及び前記洗濯機特定情報に基づいて特定される柔軟剤に関する柔軟剤情報を前記第２通信部によって前記サーバから受信する第６の受信ステップと、
前記受信された柔軟剤情報を前記第１通信部によって前記洗濯機へ送信する第６の送信ステップとをさらに含む請求項１〜６のいずれか１つに記載の通信方法。
【請求項８】
洗濯機を特定するための洗濯機特定情報を記憶する記憶部と、
無線通信を利用して通信装置と通信する通信部と、
前記通信部によって前記通信装置からの前記洗濯機特定情報を要求する要求情報が受信された場合、前記記憶部から前記洗濯機特定情報を読み出し、読み出した前記洗濯機特定情報を前記通信装置へ送信するように前記通信部を制御し、ユーザにより選択された洗剤名を特定する洗剤名特定情報及び前記洗濯機特定情報に基づいて特定される洗剤に関する洗剤情報が前記通信部によって受信された場合、受信された前記洗剤情報に基づいて洗濯動作を制御する制御部とを備える洗濯機。
【請求項９】
前記記憶部は、さらに前記洗剤情報を記憶し、
前記制御部は、さらに、前記通信部によって前記通信装置からの前記洗剤情報が受信された場合、受信した前記洗剤情報を前記記憶部に記憶し、前記記憶部に記憶された前記洗剤情報に基づいて洗濯動作を制御する請求項８記載の洗濯機。
【請求項１０】
前記制御部は、前記記憶部に前記洗剤情報が記憶されたことを通知する記憶完了通知を、前記通信部によって前記通信装置へ送信するように制御する請求項９記載の洗濯機。
【請求項１１】
前記洗濯機が水位と標準的な洗剤の杯数との関係を示すテーブルを予め記憶している場合、前記洗剤情報は、前記テーブル内の前記標準的な洗剤の杯数に乗算する係数を含む請求項８〜１０のいずれか１つに記載の洗濯機。
【請求項１２】
無線通信を利用して洗濯機と通信する第１通信部と、
ネットワークを利用してサーバと通信する第２通信部と、
前記洗濯機で使用される少なくとも１つの洗剤に対応する洗剤名を表示する洗剤名一覧を表示する表示部と、
ユーザによる入力を受け付ける受付部と、
前記表示部に表示する表示画面を制御する制御部とを備え、
前記第１通信部は、前記洗濯機を特定するための洗濯機特定情報を要求する要求情報を前記洗濯機へ送信するとともに、前記洗濯機特定情報を前記洗濯機から受信し、
前記第２通信部は、前記受信された洗濯機特定情報を前記サーバへ送信するとともに、前記洗剤名一覧を表示させるための洗剤名一覧情報を前記サーバから受信し、
前記制御部は、前記受信された洗剤名一覧情報に基づいて前記表示部に前記洗剤名一覧を表示させ、
前記受付部は、前記洗剤名一覧に表示される洗剤名の中からユーザにより選択される洗剤名を受け付け、
前記第２通信部は、前記選択された洗剤名を特定する洗剤名特定情報を前記サーバへ送信し、前記洗剤名特定情報及び前記洗濯機特定情報に基づいて特定される洗剤に関する洗剤情報を前記サーバから受信し、
前記第１通信部は、前記受信された洗剤情報を前記洗濯機へ送信する通信装置。
【請求項１３】
無線通信を利用して洗濯機と通信する第１通信部を制御する第１通信制御部と、
ネットワークを利用してサーバと通信する第２通信部を制御する第２通信制御部と、
前記洗濯機で使用される少なくとも１つの洗剤に対応する洗剤名を表示する洗剤名一覧を表示する表示部を制御する表示制御部としてコンピュータを機能させ、
前記第１通信制御部は、前記洗濯機を特定するための洗濯機特定情報を要求する要求情報を前記洗濯機へ送信するように前記第１通信部を制御するとともに、前記洗濯機特定情報を前記洗濯機から受信するように前記第１通信部を制御し、
前記第２通信制御部は、前記受信された洗濯機特定情報を前記サーバへ送信するように前記第２通信部を制御するとともに、前記洗剤名一覧を表示させるための洗剤名一覧情報を前記サーバから受信するように前記第２通信部を制御し、
前記表示制御部は、前記受信された洗剤名一覧情報に基づいて前記洗剤名一覧を表示するように前記表示部を制御し、
前記第２通信制御部は、前記洗剤名一覧に表示される洗剤名の中からユーザにより選択された洗剤名を特定する洗剤名特定情報を前記サーバへ送信するように前記第２通信部を制御し、前記洗剤名特定情報及び前記洗濯機特定情報に基づいて特定される洗剤に関する洗剤情報を前記サーバから受信するように前記第２通信部を制御し、
前記第１通信制御部は、前記受信された洗剤情報を前記洗濯機へ送信するように前記第１通信部を制御する通信プログラム。
【発明の詳細な説明】
【技術分野】
【０００１】
本発明は、サーバ及び洗濯機と通信する通信装置、通信方法及び通信プログラム、洗濯機、並びにサーバと洗濯機と通信装置とを備える洗濯システムに関するものである。
【背景技術】
【０００２】
従来の洗濯機では、運転がスタートされると、布量が検知され、検知された布量から洗濯するのに必要な洗濯槽の水位が決定され、決定された水位に応じた洗剤量が表示手段に表示される。【０００３】
この場合、洗剤量は予め洗濯機メーカが決めた一つの代表的なコンパクト合成洗剤に適合するように設定されている。そのため、表示手段には、その代表的なコンパクト合成洗剤で洗濯するのに必要な洗剤量を計量カップ単位で、すなわち、計量カップで何杯分であるかが表示される。【０００４】
ここで、洗濯機に使われる洗剤としては、例えば、コンパクト合成洗剤、一般合成洗剤、コンパクト粉石鹸及び一般粉石鹸等の複数の種類がある。洗剤に表記されている洗剤量は洗剤の種類毎に異なっており、また、同じ種類の洗剤であっても、洗剤に表記されている洗剤量や計量カップの容量は洗剤メーカ毎に異なっている。【０００５】
従来の洗濯機では、一つの代表的な銘柄のコンパクト合成洗剤に合わせて、洗剤量または計量カップの杯数を表示しているので、使用者が異なる銘柄の洗剤を使用するときには、表示された計量カップの杯数が不正確であるという問題があった。【０００６】
そこで、入力手段により入力した洗剤に表示されている水位とその水位に応じた洗剤量とに基づいて、洗濯槽内の布量の洗濯に必要な洗剤量を算出し、算出した洗剤量を表示するようにした洗濯機が知られている（例えば、特許文献１参照）。【０００７】
しかしながら、特許文献１の洗濯機の場合、ユーザは、洗濯する毎、又は使用する洗剤が変わる毎に、洗剤に表示されている水位とその水位に応じた洗剤量を入力する必要があり、操作が煩雑となる。
【先行技術文献】
【特許文献】
【０００８】
【特許文献１】特開２００３−１６４６９５号公報
【発明の概要】
【０００９】
本発明は、上記の問題を解決するためになされたもので、使用する洗剤が変わったとしても、洗剤に適合する正確な洗剤量を容易に設定することができる洗濯システム、通信装置、通信方法、通信プログラム及び洗濯機を提供することを目的とするものである。
【００１０】
本発明の一局面に係る洗濯システムは、サーバと、洗濯機と、前記サーバ及び前記洗濯機と通信可能に接続される通信装置とを備え、前記通信装置は、無線通信を利用して前記洗濯機と通信する第１通信部と、ネットワークを利用して前記サーバと通信する第２通信部と、前記洗濯機で使用される複数の洗剤に対応する複数の洗剤名を一覧表示する洗剤名一覧画面を表示する表示部と、ユーザによる入力を受け付ける入力受付部と、前記表示部に表示する表示画面を前記洗剤名一覧画面に切り替える表示制御部とを備え、前記第１通信部は、前記洗濯機を特定するための洗濯機特定情報を要求する要求情報を前記洗濯機へ送信するとともに、前記洗濯機特定情報を前記洗濯機から受信し、前記第２通信部は、前記第１通信部によって受信された前記洗濯機特定情報を前記サーバへ送信するとともに、前記洗剤名一覧画面を表示させるための洗剤名一覧画面情報を前記サーバから受信し、前記表示制御部は、前記第２通信部によって受信された前記洗剤名一覧画面情報に基づいて前記表示画面を前記洗剤名一覧画面に切り替え、前記入力受付部は、前記洗剤名一覧画面に一覧表示される前記複数の洗剤名の中から任意の洗剤名のユーザによる選択を受け付け、前記第２通信部は、前記入力受付部によって受け付けられた前記任意の洗剤名を特定する洗剤名特定情報及び前記洗濯機特定情報を前記サーバへ送信し、前記洗剤名特定情報及び前記洗濯機特定情報に基づいて特定される洗剤に関する洗剤情報を前記サーバから受信し、前記第１通信部は、前記第２通信部によって受信された前記洗剤情報を前記洗濯機へ送信し、前記洗濯機は、前記洗濯機特定情報を記憶する洗濯機特定情報記憶部と、前記無線通信を利用して前記通信装置と通信する洗濯機通信部と、前記洗濯機通信部によって前記通信装置からの前記要求情報が受信された場合、前記洗濯機特定情報記憶部から前記洗濯機特定情報を読み出し、読み出した前記洗濯機特定情報を前記通信装置へ送信するように前記洗濯機通信部を制御し、前記洗濯機通信部によって前記通信装置からの前記洗剤情報が受信された場合、受信した前記洗剤情報に基づいて洗濯動作を制御する洗濯機制御部とを備え、前記サーバは、ネットワークを利用して前記通信装置と通信するサーバ通信部と、複数の洗剤名のそれぞれに対応する前記洗剤情報を洗濯機の種類毎に記憶する第１の洗剤情報記憶部と、前記サーバ通信部によって前記通信装置からの前記洗濯機特定情報が受信された場合、前記洗濯機特定情報によって特定される洗濯機に応じた前記洗剤名一覧画面情報を作成し、作成した前記洗剤名一覧画面情報を前記通信装置へ送信するように前記サーバ通信部を制御し、前記サーバ通信部によって前記通信装置からの前記洗剤名特定情報及び前記洗濯機特定情報が受信された場合、前記洗剤名特定情報及び前記洗濯機特定情報に基づいて特定される前記洗剤情報を前記第１の洗剤情報記憶部から読み出し、読み出した前記洗剤情報を前記通信装置へ送信するように前記サーバ通信部を制御するサーバ制御部とを備える。
【００１１】
この構成によれば、通信装置の第１通信部は、無線通信を利用して洗濯機と通信し、通信装置の第２通信部は、ネットワークを利用してサーバと通信する。通信装置の表示部は、洗濯機で使用される複数の洗剤に対応する複数の洗剤名を一覧表示する洗剤名一覧画面を表示する。通信装置の入力受付部は、ユーザによる入力を受け付ける。通信装置の表示制御部は、表示部に表示する表示画面を洗剤名一覧画面に切り替える。そして、第１通信部によって、洗濯機を特定するための洗濯機特定情報を要求する要求情報が洗濯機へ送信されるとともに、洗濯機特定情報が洗濯機から受信される。第２通信部によって、第１通信部により受信された洗濯機特定情報がサーバへ送信されるとともに、洗剤名一覧画面を表示させるための洗剤名一覧画面情報がサーバから受信される。表示制御部によって、第２通信部により受信された洗剤名一覧画面情報に基づいて表示画面が洗剤名一覧画面に切り替えられる。入力受付部によって、洗剤名一覧画面に一覧表示される複数の洗剤名の中から任意の洗剤名のユーザによる選択が受け付けられる。第２通信部によって、入力受付部により受け付けられた任意の洗剤名を特定する洗剤名特定情報及び前記洗濯機特定情報がサーバへ送信され、洗剤名特定情報及び前記洗濯機特定情報に基づいて特定される洗剤に関する洗剤情報がサーバから受信される。第１通信部によって、第２通信部により受信された洗剤情報が洗濯機へ送信される。また、洗濯機の洗濯機特定情報記憶部は、洗濯機特定情報を記憶する。洗濯機の洗濯機通信部は、無線通信を利用して通信装置と通信する。洗濯機の洗濯機制御部は、洗濯機通信部によって通信装置からの要求情報が受信された場合、洗濯機特定情報記憶部から洗濯機特定情報を読み出し、読み出した洗濯機特定情報を通信装置へ送信するように洗濯機通信部を制御する。また、洗濯機の洗濯機制御部は、洗濯機通信部によって通信装置からの洗剤情報が受信された場合、受信した洗剤情報に基づいて洗濯動作を制御する。サーバのサーバ通信部は、ネットワークを利用して通信装置と通信する。サーバの第１の洗剤情報記憶部は、複数の洗剤名のそれぞれに対応する洗剤情報を洗濯機の種類毎に記憶する。サーバのサーバ制御部は、サーバ通信部によって通信装置からの洗濯機特定情報が受信された場合、洗濯機特定情報によって特定される洗濯機に応じた洗剤名一覧画面情報を作成し、作成した洗剤名一覧画面情報を通信装置へ送信するようにサーバ通信部を制御する。また、サーバのサーバ制御部は、サーバ通信部によって通信装置からの洗剤名特定情報及び洗濯機特定情報が受信された場合、洗剤名特定情報及び洗濯機特定情報に基づいて特定される洗剤情報を第１の洗剤情報記憶部から読み出し、読み出した洗剤情報を通信装置へ送信するようにサーバ通信部を制御する。
【００１２】
本発明によれば、洗剤名一覧画面に一覧表示される複数の洗剤名の中から任意の洗剤名のユーザによる選択が受け付けられ、洗濯機を特定するための洗濯機特定情報及び任意の洗剤名を特定するための洗剤名特定情報に基づいて特定される洗剤に関する洗剤情報が洗濯機へ送信され、洗剤情報に基づいて洗濯機の洗濯動作が制御されるので、使用する洗剤が変わったとしても、洗剤に適合する正確な洗剤量を容易に設定することができる。具体的には、水位とその水位に対応する洗剤量を入力するよりも通信装置に表示される情報を選択し、洗濯機と通信装置が通信するだけで設定出来るので操作が容易である。
【００１３】
本発明の目的、特徴及び利点は、以下の詳細な説明と添付図面とによって、より明白となる。
【図面の簡単な説明】
【００１４】
【図１】本発明の実施の形態における洗濯システムの全体構成を示す図である。
【図２】本発明の実施の形態における洗濯システムの詳細な構成を示す図である。
【図３】本発明の実施の形態における洗濯システムの動作について説明するための第１のフローチャートである。
【図４】本発明の実施の形態における洗濯システムの動作について説明するための第２のフローチャートである。
【図５】本発明の実施の形態における洗濯システムの動作について説明するための第３のフローチャートである。
【図６】本実施の形態における通信指示画面の一例を示す図である。
【図７】本実施の形態におけるメニュー画面の一例を示す図である。
【図８】本実施の形態における洗剤名一覧画面の一例を示す図である。
【図９】本実施の形態における洗剤情報の一例を示す図である。
【図１０】本実施の形態における洗剤情報の第１の変形例を示す図である。
【図１１】本実施の形態における洗剤情報の第２の変形例を示す図である。
【図１２】本実施の形態における洗剤情報の第３の変形例を示す図である。
【図１３】（Ａ）は、洗剤情報記憶部に記憶されている更新前のテーブルデータの一例を示す図であり、（Ｂ）は、洗剤情報記憶部に記憶されている更新後のテーブルデータの一例を示す図である。
【図１４】本実施の形態における記憶完了通知画面の一例を示す図である。
【図１５】本実施の形態における柔軟剤情報の一例を示す図である。
【発明を実施するための形態】
【００１５】
以下添付図面を参照しながら、本発明の実施の形態について説明する。なお、以下の実施の形態は、本発明を具体化した一例であって、本発明の技術的範囲を限定する性格のものではない。
【００１６】
図１は、本発明の実施の形態における洗濯システムの全体構成を示す図である。図１に示す洗濯システムは、携帯機器１と、洗濯機２と、サーバ３とを備える。
【００１７】
携帯機器１は、例えば携帯電話機などの通信装置から構成され、ループアンテナ１６を介して近接無線通信を利用して洗濯機２と通信するとともに、ネットワーク４を介してサーバ３と通信可能に接続されている。携帯機器１は、洗濯機２のＲＦＩＤ（Ｒａｄｉｏ  Ｆｒｅｑｕｅｎｃｙ  ＩＤｅｎｔｉｆｉｃａｔｉｏｎ）又はＮＦＣ（Ｎｅａｒ  Ｆｉｅｌｄ  Ｃｏｍｍｕｎｉｃａｔｉｏｎ）と通信可能なリーダ／ライタを備える機器であればどのような機器であってもよいが、可搬性のある機器がより好ましい。
【００１８】
洗濯機２は、パッシブ／アクティブＲＦＩＤ又はＮＦＣによってリーダ／ライタと通信可能な機器である。洗濯機２は、ループアンテナ２７を介して近接無線通信を利用して携帯機器１と通信する。洗濯機２は、洗剤により衣類を洗濯する。なお、洗濯機２は、洗濯機能だけでなく、すすぎ機能、脱水機能及び乾燥機能を備えてもよい。
【００１９】
サーバ３は、公知のサーバコンピュータ等から構成され、ネットワーク４を介して携帯機器１と通信可能に接続されている。
【００２０】
図２は、本発明の実施の形態における洗濯システムの詳細な構成を示す図である。
【００２１】
携帯機器１は、第１通信部１１、第２通信部１２、表示部１３、操作部１４、制御部１５及びループアンテナ１６を備える。
【００２２】
第１通信部１１は、ループアンテナ１６を介して近距離無線通信を利用して洗濯機２と通信する。
【００２３】
ループアンテナ１６は、近接無線通信を行うためのアンテナである。本実施の形態では、近接無線通信として、例えば１３．５６ＭＨｚ帯を用いる高周波数帯域のＲＦＩＤ又はＮＦＣを想定しているが、この周波数帯に限定されることはない。近接無線通信の周波数帯は、９０ＭＨｚ〜１ＧＨｚのＵＨＦ帯であってもよく、２ＧＨｚ帯を越える周波数帯であってもよい。
【００２４】
近接無線通信は、通信距離が短く、通信を行う２つの無線通信機器のループアンテナ同士を接近させる必要がある。無線通信機器のループアンテナが実装されている面には、ループアンテナの位置を表すマークが付されており、ユーザは２つの無線通信機器のマーク同士を接近させて、２つの無線通信機器間で通信を行わせる。携帯電話機に内蔵されるＲＦＩＤはループアンテナの出力を上げることができないため、例えば数ｍｍ単位でのループアンテナ同士の位置合わせが必要であり、互いのループアンテナを正確に接近させる必要がある。
【００２５】
なお、本実施の形態では、第１通信部１１は、ループアンテナ１６を介して近距離無線通信を利用して洗濯機２と通信しているが、本発明は特にこれに限定されず、近距離無線通信以外の電波又は光などを用いた他の無線通信を利用してもよい。
【００２６】
第２通信部１２は、ネットワーク４を利用してサーバと通信する。なお、ネットワーク４は、例えば移動体通信網である。
【００２７】
表示部１３は、第１通信部１１と洗濯機２とを通信させることをユーザに指示する通信指示画面と、洗濯機２で使用される複数の洗剤に対応する複数の洗剤名を一覧表示する洗剤名一覧画面とを表示する。
【００２８】
操作部１４は、例えばタッチパネル又は操作キーなどで構成され、ユーザによる入力操作を受け付ける。
【００２９】
制御部１５は、携帯機器１全体を制御し、表示制御部１５１、第１通信制御部１５２及び第２通信制御部１５３を備える。
【００３０】
表示制御部１５１は、表示部１３に表示する表示画面を通信指示画面と洗剤名一覧画面とのいずれかに切り替える。第１通信制御部１５２は、第１通信部１１を制御する。第２通信制御部１５３は、第２通信部１２を制御する。
【００３１】
第１通信部１１は、表示部１３に通信指示画面が表示された後、洗濯機２を特定するための洗濯機特定情報を要求する要求情報を洗濯機２へ送信するとともに、洗濯機特定情報を洗濯機２から受信する。本実施の形態において、通信指示画面は、第１通信部１１と洗濯機２とが通信するために第１通信部１１と洗濯機２とを近接させることをユーザに指示するための画面である。第１通信部１１は、第１通信部１１と洗濯機２とが通信可能な距離に近接された後、洗濯機特定情報を洗濯機２から受信する。
【００３２】
第２通信部１２は、第１通信部１１によって受信された洗濯機特定情報をサーバ３へ送信するとともに、洗剤名一覧画面を表示させるための洗剤名一覧画面情報をサーバ３から受信する。表示制御部１５１は、第２通信部１２によって受信された洗剤名一覧画面情報に基づいて表示画面を洗剤名一覧画面に切り替える。
【００３３】
操作部１４は、洗剤名一覧画面に一覧表示される複数の洗剤名の中から任意の洗剤名のユーザによる選択を受け付ける。第２通信部１２は、操作部１４によって受け付けられた任意の洗剤名を特定する洗剤名特定情報及び洗濯機特定情報をサーバ３へ送信し、洗剤名特定情報及び洗濯機特定情報に基づいて特定される洗剤に関する洗剤情報をサーバ３から受信する。
【００３４】
表示制御部１５１は、第２通信部１２によって洗剤情報が受信された場合、表示画面を通信指示画面に切り替える。第１通信部１１は、第２通信部１２によって受信された洗剤情報を洗濯機２へ送信する。
【００３５】
また、第１通信部１１は、洗濯機２に洗剤情報が記憶されたことを通知する記憶完了通知を洗濯機２から受信する。表示部１３は、洗濯機２に洗剤情報が記憶されたことをユーザに通知する記憶完了通知画面をさらに表示する。表示制御部１５１は、第１通信部１１によって記憶完了通知が受信された場合、表示画面を記憶完了通知画面に切り替える。
【００３６】
洗濯機２は、布量検知部２１、記憶部２２、通信部２３、制御部２４、操作部２５、表示部２６及びループアンテナ２７を備える。
【００３７】
布量検知部２１は、洗濯槽内の布量を検知する。
【００３８】
記憶部２２は、洗濯機特定情報記憶部２２１及び洗剤情報記憶部２２２を備える。洗濯機特定情報記憶部２２１は、洗濯機２を特定するための洗濯機特定情報、例えば洗濯機２の型番号及びシリアルナンバー等を予め記憶する。なお、洗濯機特定情報は、製造時等に予め記憶される。洗剤情報記憶部２２２は、洗濯機２に対応する洗剤情報を記憶する。洗剤情報は、洗濯する際の水位と洗剤の計量器具による杯数との関係を示すテーブルを含む。
【００３９】
また、記憶部２２は、洗濯機２の使用履歴及びエラー情報などの状態情報を記憶してもよい。なお、記憶部２２は、洗濯機２をサーバ３のデータベースに登録するために、洗濯機２のメーカが特定できる情報、製造日が特定できる情報、及び製造工場が特定できる情報などを含むことが好ましい。また、記憶部２２は、洗濯機２の製造メーカ毎に異なるサーバにアクセスするためのサーバ特定情報（例えばＵＲＩ（Ｕｎｉｆｏｒｍ  Ｒｅｓｏｕｒｃｅ  Ｉｄｅｎｔｉｆｉｅｒ））を含むことが好ましい。これにより、携帯機器１からサーバ３へ容易にアクセスすることが可能となる。また、ＵＲＩを洗濯機２の記憶部２２に保持することによって、携帯機器１は、どのような機種であっても、洗濯機２に固有のサーバへ、アクセスすることが可能となる。
【００４０】
通信部２３は、ループアンテナ２７を介して近接無線通信により双方向で種々の情報を携帯機器１と送信及び受信する。ループアンテナ２７は、近接無線通信を行うためのアンテナである。
【００４１】
制御部２４は、ＣＰＵ（中央演算処理装置）等から構成され、通信部２３の動作を制御するとともに、通信部２３を介して受信した情報等に応じて記憶部２２の動作を制御する。また、制御部２４は、水位算出部２４１、洗剤量算出部２４２及び洗濯制御部２４３を備える。
【００４２】
水位算出部２４１は、布量検知部２１によって検知された洗濯槽内の布量に応じた水位を算出する。洗剤量算出部２４２は、水位算出部２４１によって算出された水位に応じた洗剤量を算出する。洗剤量算出部２４２は、水位算出部２４１によって算出された水位に対応する洗剤情報記憶部２２２に記憶されている洗剤量を読み出す。なお、本実施の形態では、洗剤量は、計量器具による杯数で表されるが、本発明は特にこれに限定されず、重さ又は体積などで表してもよい。
【００４３】
洗濯制御部２４３は、通信部２３によって携帯機器１からの要求情報が受信された場合、洗濯機特定情報記憶部２２１から洗濯機特定情報を読み出し、読み出した洗濯機特定情報を携帯機器１へ送信するように通信部２３を制御する。また、洗濯制御部２４３は、通信部２３によって携帯機器１からの洗剤情報が受信された場合、受信した洗剤情報に基づいて洗濯動作を制御する。
【００４４】
さらに、洗濯制御部２４３は、通信部２３によって携帯機器１からの洗剤情報が受信された場合、受信した洗剤情報を洗剤情報記憶部２２２に記憶し、洗剤情報記憶部２２２に記憶された洗剤情報に基づいて洗濯動作を制御する。
【００４５】
さらにまた、受信した洗剤情報が洗剤情報記憶部２２２に記憶された場合、洗濯制御部２４３は、洗濯機２に洗剤情報が記憶されたことを通知するための記憶完了通知を携帯機器１へ送信するように通信部２３を制御する。通信部２３は、記憶完了通知を携帯機器１へ送信する。
【００４６】
操作部２５は、例えば操作ボタンなどで構成され、ユーザによる入力操作を受け付ける。
【００４７】
表示部２６は、例えば発光ダイオードで構成され、洗濯槽内の布量の洗濯に必要な洗剤量、すなわち計量器具による杯数を表示する。なお、表示部２６は、水位、洗い時間、すすぎ回数、脱水時間、残り時間及び予約時刻などをデジタル表示してもよい。
【００４８】
サーバ３は、通信部３１、記憶部３２及び制御部３３を備える。
【００４９】
通信部３１は、ネットワーク４を利用して携帯機器１と通信する。
【００５０】
記憶部３２は、携帯機器１に表示されるメニュー画面を洗濯機２の製品ごとに記憶する。また、記憶部３２は、洗濯機特定情報によって特定される洗濯機２に応じた洗剤名一覧画面情報を記憶する。また、記憶部３２は、複数の洗剤名のそれぞれに対応する洗剤情報を洗濯機の種類毎に記憶する。
【００５１】
制御部３３は、ＣＰＵ等から構成され、通信部３１の動作を制御するとともに、通信部３１を介して受信した情報等に応じて記憶部３２の動作を制御する。制御部３３は、通信部３１によって携帯機器１からの洗濯機特定情報が受信された場合、洗濯機特定情報によって特定される洗濯機に応じた洗剤名一覧画面情報を作成し、作成した洗剤名一覧画面情報を携帯機器１へ送信するように通信部３１を制御する。また、制御部３３は、通信部３１によって携帯機器１からの洗剤名特定情報及び洗濯機特定情報が受信された場合、洗剤名特定情報及び洗濯機特定情報に基づいて特定される洗剤情報を記憶部３２から読み出し、読み出した洗剤情報を携帯機器１へ送信するように通信部３１を制御する。
【００５２】
なお、本実施の形態において、携帯機器１が通信装置の一例に相当し、洗濯機２が洗濯機の一例に相当し、サーバ３がサーバの一例に相当し、第１通信部１１が第１通信部の一例に相当し、第２通信部１２が第２通信部の一例に相当し、表示部１３が表示部の一例に相当し、操作部１４が入力受付部の一例に相当し、表示制御部１５１が表示制御部の一例に相当し、洗濯機特定情報記憶部２２１が洗濯機特定情報記憶部の一例に相当し、通信部２３が洗濯機通信部の一例に相当し、洗濯制御部２４３が洗濯機制御部の一例に相当し、通信部３１がサーバ通信部の一例に相当し、記憶部３２が第１の洗剤情報記憶部の一例に相当し、制御部３３がサーバ制御部の一例に相当し、洗剤情報記憶部２２２が第２の洗剤情報記憶部の一例に相当し、第１通信制御部１５２が第１通信制御部の一例に相当し、第２通信制御部１５３が第２通信制御部の一例に相当する。
【００５３】
次に、本発明の実施の形態における洗濯システムの動作について説明する。図３〜図５は、本発明の実施の形態における洗濯システムの動作について説明するためのフローチャートである。
【００５４】
まず、ステップＳ１において、携帯機器１の制御部１５は、洗濯機２を制御するためのメニュー画面を表示部１３に表示するためのアプリケーションを起動する。このとき、操作部１４は、ユーザによる当該アプリケーションの起動指示を受け付ける。制御部１５は、受け付けられた起動指示に基づいてアプリケーションを起動する。
【００５５】
次に、ステップＳ２において、表示制御部１５１は、第１通信部１１と洗濯機２とが通信するために第１通信部１１と洗濯機２とを近接させることをユーザに指示するための通信指示画面を表示するように表示部１３を制御する。表示部１３は、通信指示画面を表示する。なお、より具体的には、通信指示画面は、携帯機器１のループアンテナ１６と、洗濯機２のループアンテナ２７とを近接させることをユーザに指示するための画面である。また、通信指示画面は、携帯機器１が備える記憶部（不図示）に予め記憶されており、表示制御部１５１は、記憶部から通信指示画面を読み出して表示する。
【００５６】
図６は、本実施の形態における通信指示画面の一例を示す図である。
【００５７】
図６に示す通信指示画面Ｇ１では、例えば“対応家電にタッチしてください”というメッセージが表示される。通信指示画面Ｇ１は、携帯機器１を洗濯機２に近接させるようにユーザを誘導する画面である。携帯機器１の表示部１３に通信指示画面Ｇ１が表示されると、ユーザは、携帯機器１と洗濯機２とが近接無線通信により通信可能な距離になるように、携帯機器１のループアンテナ１６と、洗濯機２のループアンテナ２７とを近接させる。
【００５８】
次に、ステップＳ３において、第１通信制御部１５２は、表示部１３に通信指示画面が表示された後、洗濯機２を特定するための洗濯機特定情報を要求する要求情報を洗濯機２へ送信するように第１通信部１１を制御する。第１通信部１１は、表示部１３に通信指示画面が表示された後、要求情報を洗濯機２へ送信する。なお、第１通信部１１は、表示部１３に通信指示画面が表示されたことに連動して、洗濯機２へ要求情報の送信を開始する。
【００５９】
次に、ステップＳ３１において、洗濯機２の通信部２３は、第１通信部１１と洗濯機２とが通信可能な距離に近接された後、携帯機器１の第１通信部１１によって送信された要求情報を受信する。
【００６０】
次に、ステップＳ３２において、洗濯機２の洗濯制御部２４３は、洗濯機特定情報記憶部２２１から洗濯機特定情報を読み出す。
【００６１】
次に、ステップＳ３３において、洗濯制御部２４３は、洗濯機特定情報を携帯機器１へ送信するよう通信部２３を制御する。通信部２３は、洗濯機特定情報を携帯機器１へ送信する。なお、要求情報には、携帯機器１を特定するためのアドレス情報が含まれており、通信部２３は、要求情報に含まれるアドレス情報に基づいて洗濯機特定情報を携帯機器１へ送信する。
【００６２】
なお、洗濯制御部２４３は、洗濯機特定情報とともに洗濯機２の使用履歴及びエラー情報などの状態情報を携帯機器１へ送信してもよい。エラー情報は、例えば洗濯機２が備えるエラー検知部（不図示）によって検知される。
【００６３】
次に、ステップＳ４において、携帯機器１の第１通信部１１は、洗濯機２の通信部２３によって送信された洗濯機特定情報を受信する。
【００６４】
次に、ステップＳ５において、第２通信制御部１５３は、第１通信部１１によって受信された洗濯機特定情報をサーバ３へ送信するように第２通信部１２を制御する。第２通信部１２は、第１通信部１１によって受信された洗濯機特定情報をサーバ３へ送信する。洗濯機２によって送信される洗濯機特定情報は、サーバ３を特定するためのアドレス情報とともに送信され、第２通信部１２は、洗濯機特定情報とともに送信されるアドレス情報に基づいて洗濯機特定情報をサーバ３へ送信する。
【００６５】
なお、本実施の形態では、洗濯機２によって送信される洗濯機特定情報とともにサーバ３を特定するためのアドレス情報が送信されるが、本発明は特にこれに限定されず、携帯機器１がサーバ３を特定するためのアドレス情報を記憶していてもよい。
【００６６】
また、洗濯機特定情報とともに洗濯機２の状態情報が受信された場合、第２通信部１２は、洗濯機特定情報とともに洗濯機２の状態情報をサーバ３へ送信する。
【００６７】
次に、ステップＳ５１において、サーバ３の通信部３１は、携帯機器１の第２通信部１２によって送信された洗濯機特定情報を受信する。
【００６８】
次に、ステップＳ５２において、制御部３３は、洗濯機特定情報によって特定される洗濯機２に応じたメニュー画面情報を作成する。ここで、制御部３３は、洗濯機特定情報によって特定される洗濯機２に応じたメニュー画面を記憶部３２から読み出す。なお、洗濯機特定情報とともに洗濯機２の状態情報を受信した場合、制御部３３は、洗濯機２の状態情報を含むメニュー画面情報を作成する。
【００６９】
次に、ステップＳ５３において、通信部３１は、洗濯機２に固有のメニュー画面を表示させるためのメニュー画面情報を携帯機器１へ送信する。
【００７０】
次に、ステップＳ６において、携帯機器１の第２通信部１２は、サーバ３の通信部３１によって送信されたメニュー画面情報を受信する。
【００７１】
次に、ステップＳ７において、表示制御部１５１は、第２通信部１２によって受信されたメニュー画面情報に基づいて表示画面をメニュー画面に切り替える。表示部１３は、第２通信部１２によって受信されたメニュー画面情報に基づいてメニュー画面を表示する。
【００７２】
なお、携帯機器１は、携帯機器１が備える記憶部（不図示）に、受信したメニュー画面情報を記憶してもよい。メニュー画面情報が記憶部に記憶されている場合、表示制御部１５１は、ステップＳ２において通信指示画面を表示することなく、記憶部に記憶されているメニュー画面情報に基づいて表示画面をメニュー画面に切り替える。
【００７３】
メニュー画面が表示されている間、操作部１４は、メニュー画面に表示されている項目のユーザによる選択を受け付け、選択された項目に応じた画面の表示、及び選択された項目に応じた洗濯機２の制御が行われる。
【００７４】
図７は、本実施の形態におけるメニュー画面の一例を示す図である。
【００７５】
図７に示すメニュー画面Ｇ２では、洗濯機２の製品名及び製品番号を表す製品名２０１、洗濯機２の状態を表す状態情報２０２、洗濯機２の省エネルギーに関する情報を表示するためのエコ情報表示ボタン２０３、洗濯機２のサポート情報を表示するためのサポート情報表示ボタン２０４、洗濯機２の動作を制御するためのコントロール表示ボタン２０５、及び洗剤情報を設定するための洗剤設定ボタン２０６が表示される。図７に示すメニュー画面Ｇ２は、洗濯機２にエラーがない場合におけるメニュー画面である。
【００７６】
図７に示すように、洗濯機２でエラーが検知されていない場合、メニュー画面Ｇ２において、状態情報２０２には、“お知らせはありません”というメッセージが表示される。また、エコ情報表示ボタン２０３、サポート情報表示ボタン２０４、コントロール表示ボタン２０５及び洗剤設定ボタン２０６は、操作部１４を介して選択可能である。エコ情報表示ボタン２０３が選択されると、洗濯機２の消費電力などの省エネルギーに関する情報を表す画面が表示され、サポート情報表示ボタン２０４が選択されると、洗濯機２をサポートするための情報を表す画面が表示され、コントロール表示ボタン２０５が選択されると、洗濯機２の設定を入力するための画面が表示される。また、洗剤設定ボタン２０６が選択されると、ユーザが使用する洗剤名を入力するための洗剤名一覧画面が表示される。
【００７７】
なお、メニュー画面Ｇ２に表示される項目は、図７に示す項目に限定されず、種々の項目を表示することが可能である。
【００７８】
次に、ステップＳ８において、表示制御部１５１は、操作部１４によって洗剤設定指示が受け付けられたか否かを判断する。すなわち、表示制御部１５１は、メニュー画面Ｇ２に表示される洗剤設定ボタン２０６が選択されたか否かを判断する。ここで、洗剤設定指示が受け付けられていないと判断された場合（ステップＳ８でＮＯ）、洗剤設定指示が受け付けられるまで待機状態となる。なお、待機状態において、例えばエコ情報表示ボタン２０３、サポート情報表示ボタン２０４及びコントロール表示ボタン２０５などの他の指示が受け付けられた場合、他の指示に応じた画面の表示、携帯機器１の動作及び洗濯機２の動作が行われる。
【００７９】
一方、洗剤設定指示が受け付けられたと判断された場合（ステップＳ８でＹＥＳ）、ステップＳ９において、第２通信制御部１５３は、ユーザが使用する洗剤名を選択するための洗剤名一覧画面を要求する洗剤名一覧画面要求をサーバ３へ送信するように第２通信部１２を制御する。第２通信部１２は、洗剤名一覧画面要求をサーバ３へ送信する。なお、洗剤名一覧画面要求には、洗濯機特定情報が含まれる。
【００８０】
次に、ステップＳ５４において、サーバ３の通信部３１は、携帯機器１の第２通信部１２によって送信された洗剤名一覧画面要求を受信する。
【００８１】
次に、ステップＳ５５において、制御部３３は、記憶部３２から洗濯機特定情報に対応する洗剤名一覧画面情報を読み出す。
【００８２】
次に、ステップＳ５６において、制御部３３は、洗剤名一覧画面情報を携帯機器１へ送信するように通信部３１を制御する。通信部３１は、洗剤名一覧画面情報を携帯機器１へ送信する。
【００８３】
次に、ステップＳ１０において、携帯機器１の第２通信部１２は、サーバ３の通信部３１によって送信された洗剤名一覧画面情報を受信する。
【００８４】
次に、ステップＳ１１において、携帯機器１の表示制御部１５１は、第２通信部１２によって受信された洗剤名一覧画面情報に基づいて表示画面をメニュー画面から洗剤名一覧画面に切り替える。表示部１３は、複数の洗剤名を表示してユーザにより所望の洗剤名の選択を受け付けるための洗剤名一覧画面を表示する。
【００８５】
図８は、本実施の形態における洗剤名一覧画面の一例を示す図である。
【００８６】
図８に示す洗剤名一覧画面Ｇ３では、洗濯機２の製品名及び製品番号を表す製品名３０１、複数の洗剤名の中からユーザが使用する任意の洗剤名の選択を受け付ける洗剤名選択部３０２、洗剤情報を初期状態に戻すための初期状態設定選択部３０３、入力内容を取り消すための取消ボタン３０４、及び入力内容を決定する決定ボタン３０５が表示される。なお、図８における“ＡＡＡＡ”、“ＢＢＢＢ”、“ＣＣＣＣ”、“ＤＤＤＤ”及び“ＥＥＥＥ”は、具体的な洗剤名（商品名）を表している。
【００８７】
洗剤名選択部３０２及び初期状態設定選択部３０３の“ＡＡＡＡ”、“ＢＢＢＢ”、“ＣＣＣＣ”、“ＤＤＤＤ”、“ＥＥＥＥ”、“該当なし”及び“初期状態に戻す”の中から１つが選択され、選択された項目のチェックマークが表示される。チェックマークが表示されている項目でよければ、ユーザは、決定ボタン３０５をタッチする。また、チェックマークが表示されている項目を解除する場合は、ユーザは、取消ボタン３０４をタッチする。
【００８８】
次に、ステップＳ１２において、表示制御部１５１は、洗剤名一覧画面に一覧表示される複数の洗剤名の中から任意の洗剤名のユーザによる選択が完了したか否かを判断する。ここで、任意の洗剤名のユーザによる選択が完了していないと判断された場合（ステップＳ１２でＮＯ）、任意の洗剤名のユーザによる選択が完了するまで待機状態となる。
【００８９】
一方、任意の洗剤名のユーザによる選択が完了したと判断された場合（ステップＳ１２でＹＥＳ）、ステップＳ１３において、第２通信制御部１５３は、操作部１４によって受け付けられた任意の洗剤名を特定する洗剤名特定情報及び洗濯機特定情報をサーバ３へ送信するように第２通信部１２を制御する。第２通信部１２は、操作部１４によって受け付けられた洗剤名特定情報及び洗濯機特定情報をサーバ３へ送信する。
【００９０】
次に、ステップＳ５７において、サーバ３の通信部３１は、携帯機器１の第２通信部１２によって送信された洗剤名特定情報及び洗濯機特定情報を受信する。
【００９１】
次に、ステップＳ５８において、サーバ３の制御部３３は、通信部３１によって受信された洗剤名特定情報及び洗濯機特定情報によって特定される洗剤情報を記憶部３２から読み出す。記憶部３２には、複数の洗剤名のそれぞれに対応する洗剤情報が洗濯機の種類毎に記憶されている。
【００９２】
図９は、本実施の形態における洗剤情報の一例を示す図である。図９に示すように、洗剤情報は、水位と洗剤の杯数とが対応付けられたテーブルデータである。例えば、水位“１０”には、杯数“０．５”が対応付けられており、水位“２０”には、杯数“１．０”が対応付けられており、水位“３０”には、杯数“１．４”が対応付けられている。水位と洗剤の杯数との対応付けは、洗剤の種類及び洗濯機の種類に応じて変わる。そのため、記憶部３２は、図９に示すテーブルデータを洗剤名及び洗濯機の種類に対応付けて記憶している。制御部３３は、洗剤名特定情報によって特定される洗剤名及び洗濯機特定情報によって特定される洗濯機の種類に対応する洗剤情報を記憶部３２から読み出す。
【００９３】
なお、本実施の形態では、洗剤情報は、水位と洗剤の杯数との関係を示すテーブルであるが、本発明は特にこれに限定されず、洗剤情報は、水位と洗剤の杯数とすすぎ回数との関係を示すテーブルであってもよい。
【００９４】
図１０は、本実施の形態における洗剤情報の第１の変形例を示す図であり、図１１は、本実施の形態における洗剤情報の第２の変形例を示す図である。図１０及び図１１に示すように、洗剤情報は、水位と洗剤の杯数とすすぎ回数とが対応付けられたテーブルデータであってもよい。図１０において、例えば、水位“１０”には、杯数“０．４”が対応付けられており、水位“２０”には、杯数“０．８”が対応付けられており、水位“３０”には、杯数“１．１”が対応付けられている。また、水位“１０”、“２０”及び“３０”には、すすぎ回数“２”が対応付けられている。水位と洗剤の杯数とすすぎ回数との対応付けは、洗剤の種類及び洗濯機の種類に応じて変わる。そのため、図１１に示すように、図１０に示す洗剤とは洗剤の種類が異なる場合、水位“１０”、“２０”及び“３０”には、すすぎ回数“１”が対応付けられている。
【００９５】
また、洗濯機２が水位と標準的な洗剤の杯数との関係を示すテーブルを予め記憶している場合、洗剤情報は、テーブル内の標準的な洗剤の杯数に乗算する係数であってもよい。図１２は、本実施の形態における洗剤情報の第３の変形例を示す図である。
【００９６】
図１２に示すように、洗剤情報は、洗剤の杯数に乗算するための係数及びすすぎ回数を含んでもよい。例えば、洗剤情報は、杯数計算用係数“０．８”及びすすぎ回数“２”を含む。なお、図１２に示す例では、洗剤情報は、杯数に乗算するための係数及びすすぎ回数を含んでいるが、本発明は特にこれに限定されず、杯数に乗算するための係数のみを含んでもよい。洗濯機２では、予め記憶されているテーブルデータが洗剤情報に基づいて更新される。なお、洗濯機２におけるテーブルデータの更新については後述する。
【００９７】
このように、洗剤の杯数に乗算するための係数が送信されるので、テーブルデータを送信する場合に比べて、洗剤情報を送信するための情報量を削減することができる。
【００９８】
次に、ステップＳ５９において、制御部３３は、記憶部３２から読み出した洗剤情報を携帯機器１へ送信するように通信部３１を制御する。通信部３１は、洗剤情報を携帯機器１へ送信する。
【００９９】
次に、ステップＳ１４において、携帯機器１の第２通信部１２は、サーバ３の通信部３１によって送信された洗剤情報を受信する。
【０１００】
次に、ステップＳ１５において、表示制御部１５１は、第１通信部１１と洗濯機２とが通信するために第１通信部１１と洗濯機２とを近接させることをユーザに指示するための通信指示画面を表示するように表示部１３を制御する。表示部１３は、通信指示画面を表示する。なお、ステップＳ１５において表示される通信指示画面は、ステップＳ２において表示される通信指示画面Ｇ１と同じである。携帯機器１の表示部１３に通信指示画面Ｇ１が表示されると、ユーザは、携帯機器１と洗濯機２とが近接無線通信により通信可能な距離になるように、携帯機器１のループアンテナ１６と、洗濯機２のループアンテナ２７とを近接させる。
【０１０１】
次に、ステップＳ１６において、第１通信制御部１５２は、表示部１３に通信指示画面が表示された後、洗剤情報を洗濯機２へ送信するように第１通信部１１を制御する。第１通信部１１は、表示部１３に通信指示画面が表示された後、洗剤情報を洗濯機２へ送信する。なお、第１通信部１１は、表示部１３に通信指示画面が表示されたことに連動して、洗濯機２へ洗剤情報の送信を開始する。
【０１０２】
次に、ステップＳ３４において、洗濯機２の通信部２３は、第１通信部１１と洗濯機２とが通信可能な距離に近接された後、携帯機器１の第１通信部１１によって送信された洗剤情報を受信する。
【０１０３】
次に、ステップＳ３５において、洗濯機２の洗濯制御部２４３は、通信部２３によって受信された洗剤情報を洗剤情報記憶部２２２に記憶する。このとき、洗濯制御部２４３は、図９〜図１１に示すテーブル形式の洗剤情報を洗剤情報記憶部２２２に記憶する。なお、洗剤情報が洗剤情報記憶部２２２に既に記憶されている場合、洗濯制御部２４３は、既に記憶されている洗剤情報を新たな洗剤情報に更新記憶する。
【０１０４】
なお、洗剤情報が、図１２に示す洗剤の杯数に乗算するための係数である場合、洗濯制御部２４３は、既に記憶されているテーブルデータの洗剤の杯数に係数を乗算し、テーブルデータを更新する。
【０１０５】
図１３（Ａ）は、洗剤情報記憶部に記憶されている更新前のテーブルデータの一例を示す図であり、図１３（Ｂ）は、洗剤情報記憶部に記憶されている更新後のテーブルデータの一例を示す図である。
【０１０６】
更新前のテーブルデータでは、図１３（Ａ）に示すように、例えば、水位“１０”には、杯数“０．５”が対応付けられており、水位“２０”には、杯数“１．０”が対応付けられており、水位“３０”には、杯数“１．４”が対応付けられている。また、水位“１０”、“２０”及び“３０”には、すすぎ回数“１”が対応付けられている。
【０１０７】
ここで、洗剤情報に含まれる杯数計算用係数が“０．８”であり、すすぎ回数が“２”である場合、更新後のテーブルデータでは、図１３（Ｂ）に示すように、例えば、水位“１０”に対応する杯数は“０．４”
に変更され、水位“２０”に対応する杯数は“０．８” に変更され、水位“３０”に対応する杯数は“１．１” に変更される。また、水位“１０”、“２０”及び“３０”に対応するすすぎ回数は“２”に変更される。
【０１０８】
このように、受信した洗剤情報に基づいて更新されたテーブルデータが洗剤情報記憶部２２２に記憶される。
【０１０９】
次に、ステップＳ３６において、洗濯制御部２４３は、洗濯機２に洗剤情報が記憶されたことを通知する記憶完了通知を携帯機器１へ送信するように通信部２３を制御する。通信部２３は、記憶完了通知を携帯機器１へ送信する。
【０１１０】
次に、ステップＳ１７において、携帯機器１の第１通信部１１は、洗濯機２の通信部２３によって送信された記憶完了通知を受信する。
【０１１１】
次に、ステップＳ１８において、表示制御部１５１は、第１通信部１１によって記憶完了通知が受信された場合、表示部１３の表示画面を、洗濯機２に洗剤情報が記憶されたことをユーザに通知するための記憶完了通知画面に切り替える。表示部１３は、記憶完了通知画面を表示する。
【０１１２】
図１４は、本実施の形態における記憶完了通知画面の一例を示す図である。図１４に示すように、記憶完了通知画面Ｇ４では、洗濯機２の製品名及び製品番号を表す製品名４０１、洗濯機２に洗剤情報が記憶されたことを表すメッセージ４０２、１つ前の画面に戻るための戻るボタン４０３、及びメニュー画面に戻るための閉じるボタン４０４が表示される。
【０１１３】
ステップＳ１９において、制御部１５は、洗濯機２を制御するためのメニュー画面を表示部１３に表示するためのアプリケーションを終了するか否かを判断する。このとき、操作部１４は、ユーザによる当該アプリケーションの終了指示を受け付ける。制御部１５は、受け付けられた終了指示に基づいてアプリケーションを終了する。ここで、アプリケーションを終了すると判断された場合（ステップＳ１９でＹＥＳ）、処理を終了する。一方、アプリケーションを終了しないと判断された場合（ステップＳ１９でＮＯ）、ステップＳ７の処理に戻り、引き続いてメニュー画面が表示される。
【０１１４】
このように、洗剤名一覧画面に一覧表示される複数の洗剤名の中から任意の洗剤名のユーザによる選択が受け付けられ、洗濯機２を特定するための洗濯機特定情報及び任意の洗剤名を特定するための洗剤名特定情報に基づいて特定される洗剤に関する洗剤情報が洗濯機２へ送信され、洗剤情報に基づいて洗濯機２の洗濯動作が制御されるので、使用する洗剤が変わったとしても、洗剤に適合する正確な洗剤量を容易に設定することができる。
【０１１５】
続いて、本実施の形態における洗濯機２の洗濯動作について説明する。
【０１１６】
まず、操作部２５は、洗濯を開始することを受け付ける。操作部２５に設けられたスタートボタンがユーザによって押下されることにより、洗濯を開始することが受け付けられる。
【０１１７】
次に、布量検知部２１は、洗濯槽内の布量を検知する。次に、水位算出部２４１は、布量検知部２１によって検知された洗濯槽内の布量に応じた水位を算出する。次に、洗剤量算出部２４２は、水位算出部２４１によって算出された水位に応じた洗剤量を算出する。ここで、洗剤量算出部２４２は、洗剤情報記憶部２２２を参照し、水位算出部２４１によって算出された水位に対応する洗剤量（計量器具による杯数）を読み出す。
【０１１８】
次に、洗濯制御部２４３は、洗剤量算出部２４２によって算出された洗剤量を表示部２６に表示する。このとき、ユーザは、表示部２６に表示された洗剤量に応じた量の洗剤を洗濯槽に投入する。
【０１１９】
次に、洗濯制御部２４３は、洗濯槽の蓋が閉じられたか否かを判断する。洗濯槽の蓋が閉じられたと判断された場合、洗濯制御部２４３は、洗濯を開始する。一方、洗濯槽の蓋が閉じられていないと判断された場合、洗濯制御部２４３は、洗濯槽の蓋が閉じられるまで待機状態となる。なお、洗濯時刻が予約されている場合は、洗濯制御部２４３は、洗濯槽の蓋が閉じられた後、現在の時刻が予約された洗濯時刻であるか否かを判断する。そして、現在の時刻が予約された洗濯時刻であると判断された場合、洗濯制御部２４３は、洗濯を開始し、現在の時刻が予約された洗濯時刻ではないと判断された場合、洗濯制御部２４３は、待機状態となる。
【０１２０】
なお、洗濯機２は、洗剤を予め貯蔵する洗剤貯蔵部を備えてもよい。この場合、ユーザによる洗濯の開始が受け付けられると、自動的に布量の検知、水位の算出及び洗剤量の算出が行われ、算出された洗剤量に応じた量の洗剤が、洗剤貯蔵部から洗濯層内に自動的に送出される。
【０１２１】
なお、本実施の形態では、洗剤に関する洗剤情報を洗濯機２に記憶しているが、本発明は特にこれに限定されず、柔軟剤に関する柔軟剤情報を洗濯機２に記憶してもよい。この場合、表示部１３は、洗濯機２で使用される複数の柔軟剤に対応する複数の柔軟剤名を一覧表示する柔軟剤名一覧画面をさらに表示する。表示制御部１５１は、表示部１３に表示する表示画面を通信指示画面と洗剤名一覧画面と柔軟剤名一覧画面とのいずれかに切り替える。第２通信部１２は、第１通信部１１によって受信された洗濯機特定情報をサーバ３へ送信するとともに、柔軟剤名一覧画面を表示させるための柔軟剤名一覧画面情報をサーバ３から受信する。
【０１２２】
表示制御部１５１は、第２通信部１２によって受信された柔軟剤名一覧画面情報に基づいて表示画面を柔軟剤名一覧画面に切り替える。操作部１４は、柔軟剤名一覧画面に一覧表示される複数の柔軟剤名の中から任意の柔軟剤名のユーザによる選択を受け付ける。第２通信部１２は、操作部１４によって受け付けられた任意の柔軟剤名を特定する柔軟剤名特定情報及び洗濯機特定情報をサーバ３へ送信し、柔軟剤名特定情報及び洗濯機特定情報に基づいて特定される柔軟剤に関する柔軟剤情報をサーバ３から受信する。表示制御部１５１は、第２通信部１２によって柔軟剤情報が受信された場合、表示画面を通信指示画面に切り替える。第１通信部１１は、第２通信部１２によって受信された柔軟剤情報を洗濯機２へ送信する。
【０１２３】
サーバ３の記憶部３２は、複数の柔軟剤名のそれぞれに対応する柔軟剤情報を洗濯機２の種類毎に記憶する。サーバ３の制御部３３は、サーバ３の通信部３１によって携帯機器１からの洗濯機特定情報が受信された場合、洗濯機特定情報によって特定される洗濯機２に応じた柔軟剤名一覧画面情報を作成し、作成した柔軟剤名一覧画面情報を携帯機器１へ送信するように通信部３１を制御する。また、制御部３３は、通信部３１によって携帯機器１からの柔軟剤名特定情報及び洗濯機特定情報が受信された場合、柔軟剤名特定情報及び洗濯機特定情報に基づいて特定される柔軟剤情報を記憶部３２から読み出し、読み出した柔軟剤情報を携帯機器１へ送信するように通信部３１を制御する。
【０１２４】
洗濯機２の洗濯制御部２４３は、通信部２３によって携帯機器１からの柔軟剤情報が受信された場合、受信した柔軟剤情報を記憶部２２に記憶し、受信した柔軟剤情報に基づいて洗濯動作を制御する。
【０１２５】
図１５は、本実施の形態における柔軟剤情報の一例を示す図である。図１５に示すように、柔軟剤情報は、水位と柔軟剤の杯数とが対応付けられたテーブルデータである。例えば、水位“１０”には、杯数“０．３”が対応付けられており、水位“２０”には、杯数“０．４”が対応付けられており、水位“３０”には、杯数“０．６”が対応付けられている。水位と柔軟剤の杯数との対応付けは、柔軟剤の種類及び洗濯機の種類に応じて変わる。そのため、記憶部３２は、図１５に示すテーブルデータを柔軟剤名及び洗濯機の種類に対応付けて記憶している。制御部３３は、柔軟剤名特定情報によって特定される柔軟剤名及び洗濯機特定情報によって特定される洗濯機の種類に対応する柔軟剤情報を記憶部３２から読み出す。
【０１２６】
なお、洗濯機２が水位と標準的な柔軟剤の杯数との関係を示すテーブルを予め記憶している場合、柔軟剤情報は、テーブル内の標準的な柔軟剤の杯数に乗算する係数であってもよい。
【０１２７】
また、本実施の形態では、携帯機器１は、洗濯機２と通信しているが、本発明は特にこれに限定されず、洗濯機２以外の例えばテレビ、冷蔵庫及び電子レンジなどの家庭内で使用される電気機器（家電機器）と通信してもよい。
【０１２８】
この場合、表示部１３は、第１通信部１１と電気機器とを通信させることをユーザに指示する通信指示画面と、少なくとも電気機器で使用される複数の設定情報を一覧表示する設定情報一覧画面とを表示する。なお、設定情報は、例えば、電気機器を動作させるためのパラメータ、及び電気機器の運転順序を表す運転プログラムである。表示制御部１５１は、表示部１３に表示する表示画面を通信指示画面と設定情報一覧画面とのいずれかに切り替える。
【０１２９】
そして、第１通信部１１は、表示部１３に通信指示画面が表示された後、電気機器を特定するための電気機器特定情報を要求する要求情報を電気機器へ送信するとともに、電気機器特定情報を電気機器から受信する。第２通信部１２は、第１通信部１１によって受信された電気機器特定情報をサーバ３へ送信するとともに、設定情報一覧画面を表示させるための設定情報一覧画面情報をサーバ３から受信する。
【０１３０】
表示制御部１５１は、第２通信部１２によって受信された設定情報一覧画面情報に基づいて表示画面を設定情報一覧画面に切り替える。操作部１４は、設定情報一覧画面に一覧表示される複数の設定情報の中から任意の設定情報のユーザによる選択を受け付ける。第２通信部１２は、操作部１４によって受け付けられた任意の設定情報を特定する設定特定情報及び電気機器特定情報をサーバ３へ送信し、設定特定情報及び電気機器特定情報に基づいて特定される設定情報をサーバ３から受信する。
【０１３１】
表示制御部１５１は、第２通信部１２によって設定情報が受信された場合、表示画面を通信指示画面に切り替える。第１通信部１１は、表示部１３に通信指示画面が表示された後、第２通信部１２によって受信された設定情報を電気機器へ送信する。
【０１３２】
このように、設定情報一覧画面に一覧表示される複数の設定情報の中から任意の設定情報のユーザによる選択が受け付けられ、電気機器を特定するための電気機器特定情報及び任意の設定情報を特定するための設定特定情報に基づいて特定される設定情報が電気機器へ送信されるので、電気機器の設定情報を容易に書き換えることができ、設定情報に応じて電気機器を制御することができる。
【０１３３】
なお、上述した具体的実施形態には以下の構成を有する発明が主に含まれている。
【０１３４】
本発明の一局面に係る洗濯システムは、サーバと、洗濯機と、前記サーバ及び前記洗濯機と通信可能に接続される通信装置とを備え、前記通信装置は、無線通信を利用して前記洗濯機と通信する第１通信部と、ネットワークを利用して前記サーバと通信する第２通信部と、前記洗濯機で使用される複数の洗剤に対応する複数の洗剤名を一覧表示する洗剤名一覧画面を表示する表示部と、ユーザによる入力を受け付ける入力受付部と、前記表示部に表示する表示画面を前記洗剤名一覧画面に切り替える表示制御部とを備え、前記第１通信部は、前記洗濯機を特定するための洗濯機特定情報を要求する要求情報を前記洗濯機へ送信するとともに、前記洗濯機特定情報を前記洗濯機から受信し、前記第２通信部は、前記第１通信部によって受信された前記洗濯機特定情報を前記サーバへ送信するとともに、前記洗剤名一覧画面を表示させるための洗剤名一覧画面情報を前記サーバから受信し、前記表示制御部は、前記第２通信部によって受信された前記洗剤名一覧画面情報に基づいて前記表示画面を前記洗剤名一覧画面に切り替え、前記入力受付部は、前記洗剤名一覧画面に一覧表示される前記複数の洗剤名の中から任意の洗剤名のユーザによる選択を受け付け、前記第２通信部は、前記入力受付部によって受け付けられた前記任意の洗剤名を特定する洗剤名特定情報及び前記洗濯機特定情報を前記サーバへ送信し、前記洗剤名特定情報及び前記洗濯機特定情報に基づいて特定される洗剤に関する洗剤情報を前記サーバから受信し、前記第１通信部は、前記第２通信部によって受信された前記洗剤情報を前記洗濯機へ送信し、前記洗濯機は、前記洗濯機特定情報を記憶する洗濯機特定情報記憶部と、前記無線通信を利用して前記通信装置と通信する洗濯機通信部と、前記洗濯機通信部によって前記通信装置からの前記要求情報が受信された場合、前記洗濯機特定情報記憶部から前記洗濯機特定情報を読み出し、読み出した前記洗濯機特定情報を前記通信装置へ送信するように前記洗濯機通信部を制御し、前記洗濯機通信部によって前記通信装置からの前記洗剤情報が受信された場合、受信した前記洗剤情報に基づいて洗濯動作を制御する洗濯機制御部とを備え、前記サーバは、ネットワークを利用して前記通信装置と通信するサーバ通信部と、複数の洗剤名のそれぞれに対応する前記洗剤情報を洗濯機の種類毎に記憶する第１の洗剤情報記憶部と、前記サーバ通信部によって前記通信装置からの前記洗濯機特定情報が受信された場合、前記洗濯機特定情報によって特定される洗濯機に応じた前記洗剤名一覧画面情報を作成し、作成した前記洗剤名一覧画面情報を前記通信装置へ送信するように前記サーバ通信部を制御し、前記サーバ通信部によって前記通信装置からの前記洗剤名特定情報及び前記洗濯機特定情報が受信された場合、前記洗剤名特定情報及び前記洗濯機特定情報に基づいて特定される前記洗剤情報を前記第１の洗剤情報記憶部から読み出し、読み出した前記洗剤情報を前記通信装置へ送信するように前記サーバ通信部を制御するサーバ制御部とを備える。
【０１３５】
この構成によれば、通信装置の第１通信部は、無線通信を利用して洗濯機と通信し、通信装置の第２通信部は、ネットワークを利用してサーバと通信する。通信装置の表示部は、洗濯機で使用される複数の洗剤に対応する複数の洗剤名を一覧表示する洗剤名一覧画面を表示する。通信装置の入力受付部は、ユーザによる入力を受け付ける。通信装置の表示制御部は、表示部に表示する表示画面を洗剤名一覧画面に切り替える。そして、第１通信部によって、洗濯機を特定するための洗濯機特定情報を要求する要求情報が洗濯機へ送信されるとともに、洗濯機特定情報が洗濯機から受信される。第２通信部によって、第１通信部により受信された洗濯機特定情報がサーバへ送信されるとともに、洗剤名一覧画面を表示させるための洗剤名一覧画面情報がサーバから受信される。表示制御部によって、第２通信部により受信された洗剤名一覧画面情報に基づいて表示画面が洗剤名一覧画面に切り替えられる。入力受付部によって、洗剤名一覧画面に一覧表示される複数の洗剤名の中から任意の洗剤名のユーザによる選択が受け付けられる。第２通信部によって、入力受付部により受け付けられた任意の洗剤名を特定する洗剤名特定情報及び前記洗濯機特定情報がサーバへ送信され、洗剤名特定情報及び前記洗濯機特定情報に基づいて特定される洗剤に関する洗剤情報がサーバから受信される。第１通信部によって、第２通信部により受信された洗剤情報が洗濯機へ送信される。また、洗濯機の洗濯機特定情報記憶部は、洗濯機特定情報を記憶する。洗濯機の洗濯機通信部は、無線通信を利用して通信装置と通信する。洗濯機の洗濯機制御部は、洗濯機通信部によって通信装置からの要求情報が受信された場合、洗濯機特定情報記憶部から洗濯機特定情報を読み出し、読み出した洗濯機特定情報を通信装置へ送信するように洗濯機通信部を制御する。また、洗濯機の洗濯機制御部は、洗濯機通信部によって通信装置からの洗剤情報が受信された場合、受信した洗剤情報に基づいて洗濯動作を制御する。サーバのサーバ通信部は、ネットワークを利用して通信装置と通信する。サーバの第１の洗剤情報記憶部は、複数の洗剤名のそれぞれに対応する洗剤情報を洗濯機の種類毎に記憶する。サーバのサーバ制御部は、サーバ通信部によって通信装置からの洗濯機特定情報が受信された場合、洗濯機特定情報によって特定される洗濯機に応じた洗剤名一覧画面情報を作成し、作成した洗剤名一覧画面情報を通信装置へ送信するようにサーバ通信部を制御する。また、サーバのサーバ制御部は、サーバ通信部によって通信装置からの洗剤名特定情報及び洗濯機特定情報が受信された場合、洗剤名特定情報及び洗濯機特定情報に基づいて特定される洗剤情報を第１の洗剤情報記憶部から読み出し、読み出した洗剤情報を通信装置へ送信するようにサーバ通信部を制御する。
【０１３６】
したがって、洗剤名一覧画面に一覧表示される複数の洗剤名の中から任意の洗剤名のユーザによる選択が受け付けられ、洗濯機を特定するための洗濯機特定情報及び任意の洗剤名を特定するための洗剤名特定情報に基づいて特定される洗剤に関する洗剤情報が洗濯機へ送信され、洗剤情報に基づいて洗濯機の洗濯動作が制御されるので、使用する洗剤が変わったとしても、洗剤に適合する正確な洗剤量を容易に設定することができる。具体的には、水位とその水位に対応する洗剤量を入力するよりも通信装置に表示される情報を選択し、洗濯機と通信装置が通信するだけで設定出来るので操作が容易である。
【０１３７】
また、上記の洗濯システムにおいて、前記表示部は、前記第１通信部と前記洗濯機とを通信させることをユーザに指示する通信指示画面をさらに表示し、前記表示制御部は、前記表示部に表示する表示画面を前記通信指示画面と前記洗剤名一覧画面とのいずれかに切り替え、前記第１通信部は、前記表示部に前記通信指示画面が表示された後、前記要求情報を前記洗濯機へ送信し、前記表示制御部は、前記第２通信部によって前記洗剤情報が受信された場合、前記表示画面を前記通信指示画面に切り替え、前記第１通信部は、前記表示部に前記通信指示画面が表示された後、前記第２通信部によって受信された前記洗剤情報を前記洗濯機へ送信することが好ましい。
【０１３８】
この構成によれば、表示部によって、第１通信部と洗濯機とを通信させることをユーザに指示する通信指示画面がさらに表示される。表示制御部によって、表示部に表示する表示画面が通信指示画面と洗剤名一覧画面とのいずれかに切り替えられる。表示部に通信指示画面が表示された後、第１通信部によって、要求情報が洗濯機へ送信される。第２通信部により洗剤情報が受信された場合、表示制御部によって、表示画面が通信指示画面に切り替えられる。また、表示部に通信指示画面が表示された後、第１通信部によって、第２通信部により受信された洗剤情報が洗濯機へ送信される。
【０１３９】
したがって、第１通信部と洗濯機とを通信させることをユーザに指示する通信指示画面が表示された後、要求情報又は洗剤情報が洗濯機へ送信されるので、洗濯機と通信を開始するためのタイミングをユーザに通知することができる。
【０１４０】
また、上記の洗濯システムにおいて、前記無線通信は、近距離無線通信であり、前記通信指示画面は、前記第１通信部と前記洗濯機とが通信するために前記第１通信部と前記洗濯機とを近接させることをユーザに指示するための画面であり、前記第１通信部は、前記第１通信部と前記洗濯機とが通信可能な距離に近接された後、前記洗濯機特定情報を前記洗濯機から受信することが好ましい。
【０１４１】
この構成によれば、無線通信は、近距離無線通信であり、通信指示画面は、第１通信部と洗濯機とが通信するために第１通信部と洗濯機とを近接させることをユーザに指示するための画面である。第１通信部と洗濯機とが通信可能な距離に近接された後、第１通信部によって、洗濯機特定情報が洗濯機から受信される。
【０１４２】
したがって、第１通信部と洗濯機とが通信可能な距離に近接された後、洗濯機特定情報が洗濯機から受信されるので、ユーザは、通信装置と洗濯機とを通信させるための煩雑な入力操作を行う必要がなく、通信装置を洗濯機に近付けるだけで、通信装置と洗濯機との通信を開始させることができる。
【０１４３】
また、上記の洗濯システムにおいて、前記洗濯機は、前記洗剤情報を記憶する第２の洗剤情報記憶部をさらに備え、前記洗濯機制御部は、前記洗濯機通信部によって前記通信装置からの前記洗剤情報が受信された場合、受信した前記洗剤情報を前記第２の洗剤情報記憶部に記憶し、前記第２の洗剤情報記憶部に記憶された前記洗剤情報に基づいて洗濯動作を制御することが好ましい。
【０１４４】
この構成によれば、洗濯機の第２の洗剤情報記憶部は、洗剤情報を記憶する。そして、洗濯機通信部により通信装置からの洗剤情報が受信された場合、洗濯機制御部によって、受信した洗剤情報が第２の洗剤情報記憶部に記憶され、第２の洗剤情報記憶部に記憶された洗剤情報に基づいて洗濯動作が制御される。
【０１４５】
したがって、洗剤情報が第２の洗剤情報記憶部に記憶されるので、洗濯機の洗剤情報を容易に変更することができる。また、第２の洗剤情報記憶部に記憶されている洗濯情報が用いられることにより、通信装置と洗濯機とが通信することなく、洗濯機を動作させることができる。
【０１４６】
また、上記の洗濯システムにおいて、前記第１通信部は、前記洗濯機に前記洗剤情報が記憶されたことを通知する記憶完了通知を前記洗濯機から受信し、前記表示部は、前記洗濯機に前記洗剤情報が記憶されたことをユーザに通知する記憶完了通知画面をさらに表示し、前記表示制御部は、前記第１通信部によって前記記憶完了通知が受信された場合、前記表示画面を前記記憶完了通知画面に切り替えることが好ましい。
【０１４７】
この構成によれば、第１通信部によって、洗濯機に洗剤情報が記憶されたことを通知する記憶完了通知が洗濯機から受信される。表示部によって、洗濯機に洗剤情報が記憶されたことをユーザに通知する記憶完了通知画面が表示される。第１通信部によって記憶完了通知が受信された場合、表示制御部によって、表示画面が記憶完了通知画面に切り替えられる。したがって、洗濯機に洗剤情報が記憶されたことをユーザに通知することができる。
【０１４８】
また、上記の洗濯システムにおいて、前記洗剤情報は、水位と洗剤の杯数との関係を示すテーブルを含むことが好ましい。
【０１４９】
この構成によれば、洗剤情報は、水位と洗剤の杯数との関係を示すテーブルを含むので、水位に対応する洗剤の杯数を容易に設定することができる。
【０１５０】
また、上記の洗濯システムにおいて、前記テーブルは、水位と洗剤の杯数とすすぎ回数との関係を示すことが好ましい。
【０１５１】
この構成によれば、テーブルは、水位と洗剤の杯数とすすぎ回数との関係を示すので、水位に対応する洗剤の杯数とすすぎ回数とを容易に設定することができる。
【０１５２】
また、上記の洗濯システムにおいて、前記洗濯機が水位と標準的な洗剤の杯数との関係を示すテーブルを予め記憶している場合、前記洗剤情報は、前記テーブル内の前記標準的な洗剤の杯数に乗算する係数を含むことが好ましい。
【０１５３】
この構成によれば、洗剤の杯数に乗算するための係数が送信されるので、テーブルデータを送信する場合に比べて、洗剤情報を送信するための情報量を削減することができる。
【０１５４】
また、上記の洗濯システムにおいて、前記表示部は、前記洗濯機で使用される複数の柔軟剤に対応する複数の柔軟剤名を一覧表示する柔軟剤名一覧画面をさらに表示し、前記表示制御部は、前記表示部に表示する表示画面を前記洗剤名一覧画面と前記柔軟剤名一覧画面とのいずれかに切り替え、前記第２通信部は、前記第１通信部によって受信された前記洗濯機特定情報を前記サーバへ送信するとともに、前記柔軟剤名一覧画面を表示させるための柔軟剤名一覧画面情報を前記サーバから受信し、前記表示制御部は、前記第２通信部によって受信された前記柔軟剤名一覧画面情報に基づいて前記表示画面を前記柔軟剤名一覧画面に切り替え、前記入力受付部は、前記柔軟剤名一覧画面に一覧表示される前記複数の柔軟剤名の中から任意の柔軟剤名のユーザによる選択を受け付け、前記第２通信部は、前記入力受付部によって受け付けられた前記任意の柔軟剤名を特定する柔軟剤名特定情報及び前記洗濯機特定情報を前記サーバへ送信し、前記柔軟剤名特定情報及び前記洗濯機特定情報に基づいて特定される柔軟剤に関する柔軟剤情報を前記サーバから受信し、前記第１通信部は、前記第２通信部によって受信された前記柔軟剤情報を前記洗濯機へ送信することが好ましい。
【０１５５】
この構成によれば、表示部によって、洗濯機で使用される複数の柔軟剤に対応する複数の柔軟剤名を一覧表示する柔軟剤名一覧画面が表示される。表示制御部によって、表示部に表示する表示画面が洗剤名一覧画面と柔軟剤名一覧画面とのいずれかに切り替えられる。第２通信部によって、第１通信部により受信された洗濯機特定情報がサーバへ送信されるとともに、柔軟剤名一覧画面を表示させるための柔軟剤名一覧画面情報がサーバから受信される。表示制御部によって、第２通信部により受信された柔軟剤名一覧画面情報に基づいて表示画面が柔軟剤名一覧画面に切り替えられる。入力受付部によって、柔軟剤名一覧画面に一覧表示される複数の柔軟剤名の中から任意の柔軟剤名のユーザによる選択が受け付けられる。第２通信部によって、入力受付部により受け付けられた任意の柔軟剤名を特定する柔軟剤名特定情報及び洗濯機特定情報がサーバへ送信される。また、第２通信部によって、柔軟剤名特定情報及び洗濯機特定情報に基づいて特定される柔軟剤に関する柔軟剤情報がサーバから受信される。第１通信部によって、第２通信部により受信された柔軟剤情報が洗濯機へ送信される。
【０１５６】
したがって、柔軟剤名一覧画面に一覧表示される複数の柔軟剤名の中から任意の柔軟剤名のユーザによる選択が受け付けられ、洗濯機を特定するための洗濯機特定情報及び任意の柔軟剤名を特定するための柔軟剤名特定情報に基づいて特定される柔軟剤に関する柔軟剤情報が洗濯機へ送信され、柔軟剤情報に基づいて洗濯機の洗濯動作が制御されるので、使用する柔軟剤が変わったとしても、柔軟剤に適合する正確な柔軟剤量を容易に設定することができる。
【０１５７】
本発明の他の局面に係る通信装置は、無線通信を利用して洗濯機と通信する第１通信部と、ネットワークを利用してサーバと通信する第２通信部と、前記洗濯機で使用される複数の洗剤に対応する複数の洗剤名を一覧表示する洗剤名一覧画面を表示する表示部と、ユーザによる入力を受け付ける入力受付部と、前記表示部に表示する表示画面を前記洗剤名一覧画面に切り替える表示制御部とを備え、前記第１通信部は、前記洗濯機を特定するための洗濯機特定情報を要求する要求情報を前記洗濯機へ送信するとともに、前記洗濯機特定情報を前記洗濯機から受信し、前記第２通信部は、前記第１通信部によって受信された前記洗濯機特定情報を前記サーバへ送信するとともに、前記洗剤名一覧画面を表示させるための洗剤名一覧画面情報を前記サーバから受信し、前記表示制御部は、前記第２通信部によって受信された前記洗剤名一覧画面情報に基づいて前記表示画面を前記洗剤名一覧画面に切り替え、前記入力受付部は、前記洗剤名一覧画面に一覧表示される前記複数の洗剤名の中から任意の洗剤名のユーザによる選択を受け付け、前記第２通信部は、前記入力受付部によって受け付けられた前記任意の洗剤名を特定する洗剤名特定情報及び前記洗濯機特定情報を前記サーバへ送信し、前記洗剤名特定情報及び前記洗濯機特定情報に基づいて特定される洗剤に関する洗剤情報を前記サーバから受信し、前記第１通信部は、前記第２通信部によって受信された前記洗剤情報を前記洗濯機へ送信する。
【０１５８】
この構成によれば、第１通信部は、無線通信を利用して洗濯機と通信し、第２通信部は、ネットワークを利用してサーバと通信する。表示部は、洗濯機で使用される複数の洗剤に対応する複数の洗剤名を一覧表示する洗剤名一覧画面を表示する。入力受付部は、ユーザによる入力を受け付ける。表示制御部は、表示部に表示する表示画面を洗剤名一覧画面に切り替える。そして、第１通信部によって、洗濯機を特定するための洗濯機特定情報を要求する要求情報が洗濯機へ送信されるとともに、洗濯機特定情報が洗濯機から受信される。第２通信部によって、第１通信部により受信された洗濯機特定情報がサーバへ送信されるとともに、洗剤名一覧画面を表示させるための洗剤名一覧画面情報がサーバから受信される。表示制御部によって、第２通信部により受信された洗剤名一覧画面情報に基づいて表示画面が洗剤名一覧画面に切り替えられる。入力受付部によって、洗剤名一覧画面に一覧表示される複数の洗剤名の中から任意の洗剤名のユーザによる選択が受け付けられる。第２通信部によって、入力受付部により受け付けられた任意の洗剤名を特定する洗剤名特定情報及び洗濯機特定情報がサーバへ送信される。また、第２通信部によって、洗剤名特定情報及び洗濯機特定情報に基づいて特定される洗剤に関する洗剤情報がサーバから受信される。第１通信部によって、第２通信部により受信された洗剤情報が洗濯機へ送信される。
【０１５９】
したがって、洗剤名一覧画面に一覧表示される複数の洗剤名の中から任意の洗剤名のユーザによる選択が受け付けられ、洗濯機を特定するための洗濯機特定情報及び任意の洗剤名を特定するための洗剤名特定情報に基づいて特定される洗剤に関する洗剤情報が洗濯機へ送信され、洗剤情報に基づいて洗濯機の洗濯動作が制御されるので、使用する洗剤が変わったとしても、洗剤に適合する正確な洗剤量を容易に設定することができる。
【０１６０】
本発明の他の局面に係る通信方法は、無線通信を利用して洗濯機と通信する第１通信部によって、洗濯機を特定するための洗濯機特定情報を要求する要求情報を前記洗濯機へ送信する要求情報送信ステップと、前記洗濯機特定情報を前記第１通信部によって前記洗濯機から受信する洗濯機特定情報受信ステップと、ネットワークを利用してサーバと通信する第２通信部によって、前記第１通信部によって受信された前記洗濯機特定情報を前記サーバへ送信する洗濯機特定情報送信ステップと、前記洗濯機で使用される複数の洗剤に対応する複数の洗剤名を一覧表示する洗剤名一覧画面を表示させるための洗剤名一覧画面情報を前記第２通信部によって前記サーバから受信する洗剤名一覧画面情報受信ステップと、前記第２通信部によって受信された前記洗剤名一覧画面情報に基づいて前記表示画面を前記洗剤名一覧画面に切り替える洗剤名一覧画面切り替えステップと、前記洗剤名一覧画面に一覧表示される前記複数の洗剤名の中から任意の洗剤名のユーザによる選択を受け付ける選択受付ステップと、前記選択受付ステップにおいて受け付けられた前記任意の洗剤名を特定する洗剤名特定情報及び前記洗濯機特定情報を前記第２通信部によって前記サーバへ送信する洗剤名特定情報送信ステップと、前記洗剤名特定情報及び前記洗濯機特定情報に基づいて特定される洗剤に関する洗剤情報を前記第２通信部によって前記サーバから受信する洗剤情報受信ステップと、前記第２通信部によって受信された前記洗剤情報を、前記第１通信部によって前記洗濯機へ送信する洗剤情報送信ステップとを含む。
【０１６１】
この構成によれば、無線通信を利用して洗濯機と通信する第１通信部によって、洗濯機を特定するための洗濯機特定情報を要求する要求情報が洗濯機へ送信される。次に、洗濯機特定情報が第１通信部によって洗濯機から受信される。次に、ネットワークを利用してサーバと通信する第２通信部によって、第１通信部により受信された洗濯機特定情報がサーバへ送信される。次に、洗濯機で使用される複数の洗剤に対応する複数の洗剤名を一覧表示する洗剤名一覧画面を表示させるための洗剤名一覧画面情報が第２通信部によってサーバから受信される。次に、第２通信部によって受信された洗剤名一覧画面情報に基づいて表示画面が洗剤名一覧画面に切り替えられる。次に、洗剤名一覧画面に一覧表示される複数の洗剤名の中から任意の洗剤名のユーザによる選択が受け付けられる。次に、受け付けられた任意の洗剤名を特定する洗剤名特定情報及び洗濯機特定情報が第２通信部によってサーバへ送信される。次に、洗剤名特定情報及び洗濯機特定情報に基づいて特定される洗剤に関する洗剤情報が第２通信部によってサーバから受信される。次に、第２通信部によって受信された洗剤情報が、第１通信部によって洗濯機へ送信される。
【０１６２】
したがって、洗剤名一覧画面に一覧表示される複数の洗剤名の中から任意の洗剤名のユーザによる選択が受け付けられ、洗濯機を特定するための洗濯機特定情報及び任意の洗剤名を特定するための洗剤名特定情報に基づいて特定される洗剤に関する洗剤情報が洗濯機へ送信され、洗剤情報に基づいて洗濯機の洗濯動作が制御されるので、使用する洗剤が変わったとしても、洗剤に適合する正確な洗剤量を容易に設定することができる。
【０１６３】
本発明の他の局面に係る通信プログラムは、無線通信を利用して洗濯機と通信する第１通信部を制御する第１通信制御部と、ネットワークを利用してサーバと通信する第２通信部を制御する第２通信制御部と、表示部に表示する表示画面を、前記洗濯機で使用される複数の洗剤に対応する洗剤名を一覧表示する洗剤名一覧画面に切り替える表示制御部としてコンピュータを機能させ、前記第１通信制御部は、前記洗濯機を特定するための洗濯機特定情報を要求する要求情報を前記洗濯機へ送信するように前記第１通信部を制御するとともに、前記洗濯機特定情報を前記洗濯機から受信するように前記第１通信部を制御し、前記第２通信制御部は、前記第１通信部によって受信された前記洗濯機特定情報を前記サーバへ送信するように前記第２通信部を制御するとともに、前記洗剤名一覧画面を表示させるための洗剤名一覧画面情報を前記サーバから受信するように前記第２通信部を制御し、前記表示制御部は、前記第２通信部によって受信された前記洗剤名一覧画面情報に基づいて前記表示画面を前記洗剤名一覧画面に切り替え、前記第２通信制御部は、前記洗剤名一覧画面に一覧表示される前記複数の洗剤名の中からユーザにより選択された任意の洗剤名を特定する洗剤名特定情報及び前記洗濯機特定情報を前記サーバへ送信するように前記第２通信部を制御し、前記洗剤名特定情報及び前記洗濯機特定情報に基づいて特定される洗剤に関する洗剤情報を前記サーバから受信するように前記第２通信部を制御し、前記第１通信制御部は、前記第２通信部によって受信された前記洗剤情報を前記洗濯機へ送信するように前記第１通信部を制御する。
【０１６４】
この構成によれば、第１通信制御部は、無線通信を利用して洗濯機と通信する第１通信部を制御し、第２通信制御部は、ネットワークを利用してサーバと通信する第２通信部を制御する。表示制御部によって、表示部に表示する表示画面が、洗濯機で使用される複数の洗剤に対応する洗剤名を一覧表示する洗剤名一覧画面に切り替えられる。そして、第１通信制御部によって、洗濯機を特定するための洗濯機特定情報を要求する要求情報を洗濯機へ送信するように第１通信部が制御されるとともに、洗濯機特定情報を洗濯機から受信するように第１通信部が制御される。第２通信制御部によって、第１通信部により受信された洗濯機特定情報をサーバへ送信するように第２通信部が制御されるとともに、洗剤名一覧画面を表示させるための洗剤名一覧画面情報をサーバから受信するように第２通信部が制御される。表示制御部によって、第２通信部により受信された洗剤名一覧画面情報に基づいて表示画面が洗剤名一覧画面に切り替えられる。第２通信制御部によって、洗剤名一覧画面に一覧表示される複数の洗剤名の中からユーザにより選択された任意の洗剤名を特定する洗剤名特定情報及び前記洗濯機特定情報をサーバへ送信するように第２通信部が制御される。また、第２通信制御部によって、洗剤名特定情報及び洗濯機特定情報に基づいて特定される洗剤に関する洗剤情報がサーバから受信するように第２通信部が制御される。第１通信制御部によって、第２通信部により受信された洗剤情報を洗濯機へ送信するように第１通信部が制御される。
【０１６５】
したがって、洗剤名一覧画面に一覧表示される複数の洗剤名の中から任意の洗剤名のユーザによる選択が受け付けられ、洗濯機を特定するための洗濯機特定情報及び任意の洗剤名を特定するための洗剤名特定情報に基づいて特定される洗剤に関する洗剤情報が洗濯機へ送信され、洗剤情報に基づいて洗濯機の洗濯動作が制御されるので、使用する洗剤が変わったとしても、洗剤に適合する正確な洗剤量を容易に設定することができる。
【０１６６】
本発明の他の局面に係る洗濯機は、洗濯機を特定するための洗濯機特定情報を記憶する洗濯機特定情報記憶部と、無線通信を利用して通信装置と通信する洗濯機通信部と、前記洗濯機通信部によって前記通信装置からの前記洗濯機特定情報を要求する要求情報が受信された場合、前記洗濯機特定情報記憶部から前記洗濯機特定情報を読み出し、読み出した前記洗濯機特定情報を前記通信装置へ送信するように前記洗濯機通信部を制御し、前記洗濯機通信部によって複数の洗剤名の中からユーザにより選択された任意の洗剤名を特定する洗剤名特定情報及び前記洗濯機特定情報に基づいて特定される洗剤に関する洗剤情報が受信された場合、受信した前記洗剤情報に基づいて洗濯動作を制御する洗濯機制御部とを備える。
【０１６７】
この構成によれば、洗濯機特定情報記憶部は、洗濯機を特定するための洗濯機特定情報を記憶する。洗濯機通信部は、無線通信を利用して通信装置と通信する。洗濯機制御部は、洗濯機通信部によって通信装置からの洗濯機特定情報を要求する要求情報が受信された場合、洗濯機特定情報記憶部から洗濯機特定情報を読み出し、読み出した洗濯機特定情報を通信装置へ送信するように洗濯機通信部を制御する。また、洗濯機制御部は、洗濯機通信部によって複数の洗剤名の中からユーザにより選択された任意の洗剤名を特定する洗剤名特定情報及び前記洗濯機特定情報に基づいて特定される洗剤に関する洗剤情報が受信された場合、受信した洗剤情報に基づいて洗濯動作を制御する。
【０１６８】
したがって、複数の洗剤名の中からユーザにより選択された任意の洗剤名を特定する洗剤名特定情報及び洗濯機を特定するための洗濯機特定情報に基づいて特定される洗剤に関する洗剤情報が受信され、受信した洗剤情報に基づいて洗濯機の洗濯動作が制御されるので、使用する洗剤が変わったとしても、洗剤に適合する正確な洗剤量を容易に設定することができる。
【０１６９】
本発明の他の局面に係る通信装置は、無線通信を利用して電気機器と通信する第１通信部と、ネットワークを利用してサーバと通信する第２通信部と、前記第１通信部と前記電気機器とを通信させることをユーザに指示する通信指示画面と、少なくとも前記電気機器で使用される複数の設定情報を一覧表示する設定情報一覧画面とを表示する表示部と、ユーザによる入力を受け付ける入力受付部と、前記表示部に表示する表示画面を前記通信指示画面と前記設定情報一覧画面とのいずれかに切り替える表示制御部とを備え、前記第１通信部は、前記表示部に前記通信指示画面が表示された後、前記電気機器を特定するための電気機器特定情報を要求する要求情報を前記電気機器へ送信するとともに、前記電気機器特定情報を前記電気機器から受信し、前記第２通信部は、前記第１通信部によって受信された前記電気機器特定情報を前記サーバへ送信するとともに、前記設定情報一覧画面を表示させるための設定情報一覧画面情報を前記サーバから受信し、前記表示制御部は、前記第２通信部によって受信された前記設定情報一覧画面情報に基づいて前記表示画面を前記設定情報一覧画面に切り替え、前記入力受付部は、前記設定情報一覧画面に一覧表示される前記複数の設定情報の中から任意の設定情報のユーザによる選択を受け付け、前記第２通信部は、前記入力受付部によって受け付けられた前記任意の設定情報を特定する設定特定情報及び前記電気機器特定情報を前記サーバへ送信し、前記設定特定情報及び前記電気機器特定情報に基づいて特定される設定情報を前記サーバから受信し、前記表示制御部は、前記第２通信部によって前記設定情報が受信された場合、前記表示画面を前記通信指示画面に切り替え、前記第１通信部は、前記表示部に前記通信指示画面が表示された後、前記第２通信部によって受信された前記設定情報を前記電気機器へ送信する。
【０１７０】
この構成によれば、第１通信部は、無線通信を利用して電気機器と通信し、第２通信部は、ネットワークを利用してサーバと通信する。表示部は、第１通信部と電気機器とを通信させることをユーザに指示する通信指示画面と、少なくとも電気機器で使用される複数の設定情報を一覧表示する設定情報一覧画面とを表示する。入力受付部は、ユーザによる入力を受け付ける。表示制御部は、表示部に表示する表示画面を通信指示画面と設定情報一覧画面とのいずれかに切り替える。そして、表示部に通信指示画面が表示された後、第１通信部によって、電気機器を特定するための電気機器特定情報を要求する要求情報が電気機器へ送信されるとともに、電気機器特定情報が電気機器から受信される。第２通信部によって、第１通信部により受信された電気機器特定情報がサーバへ送信されるとともに、設定情報一覧画面を表示させるための設定情報一覧画面情報がサーバから受信される。表示制御部によって、第２通信部により受信された設定情報一覧画面情報に基づいて表示画面が設定情報一覧画面に切り替えられる。入力受付部によって、設定情報一覧画面に一覧表示される複数の設定情報の中から任意の設定情報のユーザによる選択が受け付けられる。第２通信部によって、入力受付部により受け付けられた任意の設定情報を特定する設定特定情報及び電気機器特定情報がサーバへ送信される。また、第２通信部によって、設定特定情報及び電気機器特定情報に基づいて特定される設定情報がサーバから受信される。第２通信部により設定情報が受信された場合、表示制御部によって、表示画面が通信指示画面に切り替えられる。そして、表示部に通信指示画面が表示された後、第１通信部によって、第２通信部により受信された設定情報が電気機器へ送信される。
【０１７１】
したがって、設定情報一覧画面に一覧表示される複数の設定情報の中から任意の設定情報のユーザによる選択が受け付けられ、電気機器を特定するための電気機器特定情報及び任意の設定情報を特定するための設定特定情報に基づいて特定される設定情報が電気機器へ送信されるので、電気機器の設定情報を容易に書き換えることができ、設定情報に応じて電気機器を制御することができる。
【０１７２】
なお、発明を実施するための形態の項においてなされた具体的な実施態様または実施例は、あくまでも、本発明の技術内容を明らかにするものであって、そのような具体例にのみ限定して狭義に解釈されるべきものではなく、本発明の精神と特許請求事項との範囲内で、種々変更して実施することができるものである。
【産業上の利用可能性】
【０１７３】
本発明に係る洗濯システム、通信装置、通信方法、通信プログラム及び洗濯機は、使用する洗剤が変わったとしても、洗剤に適合する正確な洗剤量を容易に設定することができ、サーバ及び洗濯機と通信する通信装置、通信方法及び通信プログラム、洗濯機、並びにサーバと洗濯機と通信装置とを備える洗濯システムに有用である。
【図１】
0005979560.tif 000002
【図２】
0005979560.tif 000003
【図３】
0005979560.tif 000004
【図４】
0005979560.tif 000005
【図５】
0005979560.tif 000006
【図６】
0005979560.tif 000007
【図７】
0005979560.tif 000008
【図８】
0005979560.tif 000009
【図９】
0005979560.tif 000010
【図１０】
0005979560.tif 000011
【図１１】
0005979560.tif 000012
【図１２】
0005979560.tif 000013
【図１３】
0005979560.tif 000014
【図１４】
0005979560.tif 000015
【図１５】
0005979560.tif 000016